(57)【要約】  弁１００は、弁本体１０１と、弁本体１０１に対して組み立てられた弁座インサート１０３と、弁本体１０１及び弁座インサート１０３に対して圧縮状態に組み立てられ且つ該弁本体及び弁座インサートの双方に対して密封する弁シール部材１２０であって、１つ以上のポート開口２０２を含む上記弁シール部材１２０とを備えている。【選択図】図２
2010504479.tif 000002
【特許請求の範囲】
【請求項１】
弁（１００）において、
弁本体（１０１）と、
前記弁本体（１０１）に対して組み立てられた弁座インサート（１０３）と、
前記弁本体（１０１）及び前記弁座インサート（１０３）の双方に対して圧縮状態に組み立てられ且つ該弁本体及び弁座インサートに対して密封する弁シール部材（１２０）であって、１つ以上のポート開口（２０２）を含む、前記弁シール部材（１２０）とを備える、弁（１００）。
【請求項２】
請求項１に記載の弁（１００）において、
前記弁シール部材（１２０）は、少なくとも部分的に可撓性の材料にて形成される、弁（１００）。
【請求項３】
請求項１に記載の弁（１００）において、
前記弁シール部材（１２０）は、少なくとも部分的に弾性の材料にて形成される、弁（１００）。
【請求項４】
請求項１に記載の弁（１００）において、
前記弁シール部材（１２０）は、前記弁座インサート（１０３）の１つ以上の相応する凹所（１４１）に嵌まる形態とされた１つ以上の舌状突起（１４０）を更に備える、弁（１００）。
【請求項５】
弁シール部材（１２０）において、
１つ以上のポート開口（２０２）を含むポート境界部分（２０１）と、
上側弁座（１０５ａ）を取り囲み得るようにした上側シール部分（２１３ａ）と、下側弁座（１０５ｂ）を取り囲み得るようにした下側シール部分（２１３ｂ）とを含むシール部分（２１１）と、
１つ以上のポート開口（２０２）のポート開口（２０２ｂ）を前記シール部分（２１１）と接続する導管（２０７）とを備える、弁シール部材（１２０）。
【請求項６】
請求項５に記載の弁シール部材（１２０）において、
少なくとも部分的に可撓性の材料にて形成される、弁シール部材（１２０）。
【請求項７】
請求項５に記載の弁シール部材（１２０）において、
少なくとも部分的に弾性の材料にて形成される、弁シール部材（１２０）。
【請求項８】
請求項５に記載の弁シール部材（１２０）において、
前記弁座インサート（１０３）の１つ以上の相応する凹所（１４１）に嵌まる形態とされた１つ以上の舌状突起（１４０）を更に備える、弁シール部材（１２０）。
【請求項９】
請求項５に記載の弁シール部材（１２０）において、
変形可能な部分（２２４ａ）を含む前記上側シール部分（２１３ａ）と、変形可能な部分（２２４ｂ）を含む前記下側シール部分（２１３ｂ）とを備える、弁シール部材（１２０）。
【請求項１０】
請求項５に記載の弁シール部材（１２０）において、
前記上側シール部分（２１３ａ）と前記下側シール部分（２１３ｂ）との間に配置された弁ポペット（１１６）を更に備える、弁シール部材（１２０）。
【請求項１１】
請求項５に記載の弁シール部材（１２０）において、
前記上側シール部分（２１３ａ）と前記下側シール部分（２１３ｂ）との間に配置された弁ポペット（１１６）であって、弁アクチュエータ部材（１１５）の少なくとも一部分を受け入れ得るようにしたアクチュエータ部材の受容部（２２６）を含む前記弁ポペット（１１６）を更に備える、弁シール部材（１２０）。
【請求項１２】
請求項５に記載の弁シール部材（１２０）において、
前記上側シール部分（２１３ａ）に形成されたリップ部（２２２ａ）と、
前記下側シール部分（２１３ｂ）に形成されたリップ部（２２２ｂ）と、
リテーナ（１３０）とを更に備え、該リテーナ（１３０）は、
前記上側シール（２１３ａ）を上側弁の内面に対して保持し得るようにした上側リング（１３３ａ）であって、前記上側シール部分（２１３ａ）の前記リップ部（２２２ａ）を受け入れる段部（１３４ａ）を含む前記上側リング（１３３ａ）と、
前記下側シール（２１３ｂ）を下側弁の内面に対して保持し得るようにした下側リング（１３３ｂ）であって、前記下側シール部分（２１３ｂ）の前記リップ部（２２２ｂ）を受け入れる段部（１３４ｂ）を含む前記下側リング（１３３ｂ）と、
前記上側リング（１３３ａ）と前記下側リング（１３３ｂ）との間を伸びる１つ以上の継手（１３７）とを備える、弁シール部材（１２０）。
【請求項１３】
弁シール部材（１２０）において、
１つ以上のポート開口（２０２）を含むポート境界部分（２０１）と、
上側弁座（１０５ａ）を取り囲み得るようにした上側シール部分（２１３ａ）と、下側弁座（１０５ｂ）を取り囲み得るようにした下側シール部分（２１３ｂ）とを含むシール部分（２１１）と、
前記上側シール部分（２１３ａ）に形成されたリップ部（２２２ａ）と、
前記下側シール部分（２１３ｂ）に形成されたリップ部（２２２ｂ）と、
前記１つ以上のポート開口（２０２）のポート開口（２０２ｂ）を前記シール部分（２１１）と接続する導管（２０７）と、
リテーナとを備え、該リテーナは、
前記上側シール部分（２１３ａ）を上側弁の内面に対して保持し得るようにした上側リング（１３３ａ）であって、前記上側シール部分（２１３ａ）の前記リップ部（２２２ａ）を受け入れる段部（１３４ａ）を含む前記上側リング（１３３ａ）と、
前記下側シール部分（２１３ｂ）を下側弁の内面に対して保持し得るようにした下側リング（１３３ｂ）であって、前記下側シール部分（２１３ｂ）の前記リップ部（２２２ｂ）を受け入れる段部（１３４ｂ）を含む前記下側リング（１３３ｂ）と、
前記上側リング（１３３ａ）と前記下側リング（１３３ｂ）との間を伸びる１つ以上の継手（１３７）とを備える、弁シール部材（１２０）。
【請求項１４】
請求項１３に記載の弁シール部材（１２０）において、
少なくとも部分的に可撓性の材料にて形成される、弁シール部材（１２０）。
【請求項１５】
請求項１３に記載の弁シール部材（１２０）において、
少なくとも部分的に弾性の材料にて形成される、弁シール部材（１２０）。
【請求項１６】
請求項１３に記載の弁シール部材（１２０）において、
前記弁座インサート（１０３）の１つ以上の相応する凹所（１４１）に嵌まる形態とされた１つ以上の舌状突起（１４０）を更に備える、弁シール部材（１２０）。
【請求項１７】
請求項１３に記載の弁シール部材（１２０）において、
変形可能な部分（２２４ａ）を含む上側シール部分（２１３ａ）と、変形可能な部分（２２４ｂ）を含む下側シール部分（２１３ｂ）とを備える、弁シール部材（１２０）。
【請求項１８】
請求項１３に記載の弁シール部材（１２０）において、
前記上側シール部分（２１３ａ）と前記下側シール部分（２１３ｂ）との間に配置された弁ポペット（１１６）を更に備える、弁シール部材（１２０）。
【請求項１９】
請求項１３に記載の弁シール部材（１２０）において、
前記上側シール部分（２１３ａ）と前記下側シール部分（２１３ｂ）との間に配置された弁ポペット（１１６）であって、弁アクチュエータ部材（１１５）の少なくとも一部分を受け入れ得るようにしたアクチュエータ部材の受容部（２２６）を含む前記弁ポペット（１１６）を更に備える、弁シール部材（１２０）。
【請求項２０】
弁（１００）において、
上側弁座（１０５ａ）及び上側シール通路（１０６ａ）とを含む弁本体（１０１）と、
前記弁本体（１０１）に対して組み立てられた弁座インサート（１０３）であって、下側弁座（１０５ｂ）及び下側シール通路（１０６ｂ）を含む、前記弁座インサート（１０１）と、
前記弁本体（１０１）及び弁座インサート（１０３）に対して組み立てられ且つ該弁本体及び弁座インサートに対して密封する弁シール部材（１２０）とを備え、該弁シール部材（１２０）は、
１つ以上のポート開口（２０２）を含むポート境界部分（２０１）と、
前記上側弁座（１０５ａ）を取り囲み且つ前記上側シール通路（１０６ａ）に嵌まる上側シール部分（２１３ａ）と、前記下側弁座（１０５ｂ）を取り囲み且つ下側シール通路（１０６ｂ）に嵌まる下側シール部分（２１３ｂ）とを含むシール部分（２１１）と、
１つ以上のポート開口（２０２）の１つのポート開口（２０２ｂ）を前記シール部分（２１１）と接続する導管（２０７）とを備える、弁（１００）。
【請求項２１】
請求項２０に記載の弁（１００）において、
前記弁シール部材（１２０）は、少なくとも部分的に可撓性の材料にて形成される、弁（１００）。
【請求項２２】
請求項２０に記載の弁（１００）において、
前記弁シール部材（１２０）は、少なくとも部分的に弾性の材料にて形成される、弁（１００）。
【請求項２３】
請求項２０に記載の弁（１００）において、
前記弁シール部材（１２０）は、前記弁座インサート（１０３）の１つ以上の相応する凹所（１４１）に嵌まる形態とされた１つ以上の舌状突起（１４０）を更に備える、弁（１００）。
【請求項２４】
請求項２０に記載の弁（１００）において、
変形可能な部分（２２４ａ）を含む前記上側シール部分（２１３ａ）と、変形可能な部分（２２４ｂ）を含む前記下側シール部分（２１３ｂ）とを備える、弁（１００）。
【請求項２５】
請求項２０に記載の弁（１００）において、
前記弁シール部材（１２０）は、前記上側シール部分（２１３ａ）と前記下側シール部分（２１３ｂ）との間に配置された弁ポペット（１１６）を更に備える、弁（１００）。
【請求項２６】
請求項２０に記載の弁（１００）において、
前記弁シール部材（１２０）は、前記上側シール部分（２１３ａ）と前記下側シール部分（２１３ｂ）との間に配置された弁ポペット（１１６）であって、弁アクチュエータ部材（１１５）の少なくとも一部分を受け入れ得るようにしたアクチュエータ部材の受容部（２２６）を含む前記弁ポペット（１１６）を更に備える、弁（１００）。
【請求項２７】
請求項２０に記載の弁（１００）において、
弁シール部材（１２０）は、
前記上側シール部分（２１３ａ）に形成されたリップ部（２２２ａ）と、
前記下側シール部分（２１３ｂ）に形成されたリップ部（２２２ｂ）と、
リテーナ（１３０）とを更に備え、該リテーナ（１３０）は、
前記上側シール部分（２１３ａ）を前記上側シール通路（１０６ａ）内に保持する形態とした上側リング（１３３ａ）であって、前記上側シール部分（２１３ａ）の前記リップ部（２２２ａ）を受け入れる段部（１３４ａ）を含む前記上側リング（１３３ａ）と、
前記下側シール部分（２１３ｂ）を前記下側シール通路（１０６ｂ）内に保持する形態とした下側リング（１３３ｂ）であって、前記下側シール部分（２１３ｂ）の前記リップ部（２２２ｂ）を受け入れる段部（１３４ｂ）を含む前記下側リング（１３３ｂ）と、
前記上側リング（１３３ａ）と前記下側リング（１３３ｂ）との間を伸びる１つ以上の継手（１３７）とを備える、弁（１００）。
【発明の詳細な説明】
【技術分野】
【０００１】
本発明は、弁シール部材及び弁に関する。
【背景技術】
【０００２】
弁は、弁機構を収容する弁本体を備えている。入口及び出口ポートが弁機構と外部環境との間にて連通する。弁本体は、１つ以上の弁座と、入口及び出口ポートのような２つ以上の通路とを含む弁室を形成するよう組み立てられる部分を備えることが多い。弁機構は、弁体内にて動くことができ、また、１つ以上の弁座と選択的に接触し且つブロック解除して弁機能を実行し、これによりポートを選択し且つその選択を解除することができる。
【０００３】
図１には、先行技術の弁１の一部分が示されている。先行技術の弁１は、弁本体２と、弁座インサート３とを含む。先行技術の弁座インサート３は、弁ポペット又はその他の弁機構が接触する弁座４を含むことができる。弁座インサート３は、先行技術の弁１を形成する工程の一部として先行技術の弁本体２の相応するキャビティに組み立てられる。先行技術のポートインサート５は、弁本体２に更に組み立てられ、先行技術のポートインサート５は、図示するように、弁本体２に適合し、図面に示したポート１０２ａ−１０２ｃのような２つ以上のポートを形成する。これらのポートは、入口ポート、出口ポート又その双方とすることができる。先行技術のポートインサート５は、多数の密封領域８にて先行技術の弁本体２と接触する。密封領域８にて、先行技術のポートインサート５は、圧縮及び変形により弁本体２に対して密封する。先行技術のポートインサート５は、一般に、ゴムのようなエラストマー的材料から形成されたシールである。
【０００４】
先行技術の弁座インサート３は、溶接領域７により先行技術の弁本体２に密封することができる。溶接領域７は、超音波溶接を介して形成し、溶接領域７が弁の外部からある距離となることを許容することができる。
【０００５】
弁座インサート３は、弁座インサート３の内側部分を弁本体２に対して密封するリングシール６を更に含む。リングシール６は、弁座インサート３に形成された通路９内に受け入れられる。先行技術のリングシール６は、Ｏリング又は同様の密封装置とすることができる。
【発明の開示】
【発明が解決しようとする課題】
【０００６】
その結果、先行技術の弁座インサート３を先行技術の弁本体２内へ組み立てることは、３つの別個の密封領域を含み、製造工程の複雑さを増すことになる。これら３つの別個の領域は、リングシール６、溶接領域７、及び密封領域８である。更に、ポート１０２ｂが入口ポートである場合、ポート１０２ｂ内には、絶えず加圧された液体がある。このため、密封領域８及びリングシール６の一方又は双方にてシール機能を失う可能性が増す。
【課題を解決するための手段】
【０００７】
本発明に従って弁が提供される。該弁は、弁本体と、弁本体に組み立てられた弁座と、弁本体及び弁座インサートの双方に圧縮状態にて組み立てられ且つこれらを密封する弁シール部材とを備えている。弁シール部材は、１つ以上のポート開口を含む。
【０００８】
本発明に従って弁シール部材が提供される。該弁シール部材は、１つ以上のポート開口を含むポート境界部分と、上側弁座を取り囲み得るようにした上側シール部分と、下側弁座を取り囲み得るようにした下側シール部分とを含むシール部分とを備えている。弁シール部材は、１つ以上のポート開口の１つのポート開口をシール部分と接続する導管とを更に備えている。
【０００９】
本発明に従って、弁シール部材が提供される。該弁シール部材は、１つ以上のポート開口を含むポート境界部分と、上側弁座を取り囲み得るようにした上側シール部分と、下側弁座を取り囲み得るようにした下側シール部分とを含むシール部分とを備えている。弁シール部材は、上側シール部分に形成されたリップ部と、下側シール部分に形成されたリップ部と、１つ以上のポート開口の１つのポート開口をシール部分と接続する導管とを更に備えている。弁シール部材は、上側シール部分を上側弁の内面に対して保持し得るようにした上側リングであって、上側シール部分のリップ部を受け入れる段部を含む上記上側リングと、下側シール部分を下側弁の内面に対して保持し得るようにした下側リングであって、下側シール部分のリップ部を受け入れる段部を含む上記下側リングとを有するリテーナを更に備えている。
【００１０】
本発明の１つの実施の形態に従って弁が提供される。該弁は、上側弁座及び上側シール通路を含む弁本体と、該弁本体に対して組み立てられた弁座インサートとを備えている。弁座インサートは、下側弁座と、下側シール通路とを含む。弁は、弁本体に対して組み立てられ且つ該弁本体を密封する弁シール部材と、弁座インサートとを更に備えている。弁シール部材は、１つ以上のポート開口を含むポート境界部分と、上側弁座を取り囲み且つ、上側シール通路に嵌まる上側シール部分と、下側弁座を取り囲み且つ、下側シール通路に嵌まる下側シール部分とを含むシール部分と、１つ以上のポート開口の１つのポート開口をシール部分と接続する導管とを備えている。
【００１１】
弁の１つの実施の形態において、弁シール部材は、少なくとも部分的に可撓性の材料にて形成される。
弁の別の実施の形態において、弁シール部材は、少なくとも部分的に弾性の材料にて形成される。
【００１２】
弁の更に別の実施の形態において、弁シール部材は、弁座インサートの１つ以上の相応する凹所に嵌まる形態とされた１つ以上の舌状突起を更に備えている。
弁シール部材の１つの実施の形態において、弁シール部材は、少なくとも部分的に可撓性の材料にて形成される。
【００１３】
弁シール部材の別の実施の形態において、弁シール部材は、少なくとも部分に弾性の材料にて形成される。
弁シール部材の更に別の実施の形態において、弁シール部材は、弁座インサートの１つ以上の相応する凹部に嵌まる形態とされた１つ以上の舌状突起を更に備えている。
【００１４】
弁シール部材の更に別の実施の形態において、上側シール部分は、変形可能な部分を含み、また、下側シール部分は、変形可能な部分を含む。
弁シール部材の更に別の実施の形態において、該弁シール部材は、上側シール部分と下側シール部分との間に配置された弁ポペットを更に備えている。
【００１５】
弁シール部材の更に別の実施の形態において、該弁シール部材は、上側シール部分と下側シール部分との間に配置された弁ポペットを更に備えており、該弁ポペットは、弁アクチュエータ部材の少なくとも一部分を受け入れ得るようにしたアクチュエータ部材の受容部を含む。
【００１６】
弁シール部材の更に別の実施の形態において、弁シール部材は、上側シール部分に形成されたリップ部と、下側シール部分に形成されたリップ部と、上側シール部分を上側弁の内面に対して保持し得るようにした上側リングであって、上側シール部分のリップ部を受け入れる段部を含む上記上側リングと、下側シール部分を下側弁の内面に対して保持し得るようにした下側リングであって、下側シール部分のリップ部を受け入れる段部を含む上記下側リングとを有するリテーナと、上側リングと下側リングとの間を伸びる１つ以上の継手とを更に備えている。
【００１７】
弁の１つの実施の形態において、弁シール部材は、少なくとも部分的に可撓性の材料にて形成される。
弁の別の実施の形態において、弁シール部材は、少なくとも部分的に弾性の材料にて形成される。
【００１８】
弁の更に別の実施の形態において、上側シール部分は、変形可能な部分を含み、また、下側シール部分は、変形可能な部分を含む。
弁の更に別の実施の形態において、該弁シール部材は、上側シール部分と下側シール部分との間に配置された弁ポペットを更に備えている。
【００１９】
弁の更に別の実施の形態において、該弁シール部材は、上側シール部分と下側シール部分との間に配置された弁ポペットを更に備えており、該弁ポペットは、弁アクチュエータ部材の少なくとも一部分を受け入れ得るようにしたアクチュエータ部材の受容部を含む。
【００２０】
弁の更に別の実施の形態において、弁シール部材は、上側シール部分に形成されたリップ部と、下側シール部分に形成されたリップ部と、上側シール部分を上側シール通路内に保持する形態とした上側リングであって、上側シール部分のリップ部を受け入れる段部を含む上記上側リングと、下側シール部分を下側シール通路内に保持する形態とした下側リングであって、下側シール部分のリップ部を受け入れる段部を含む上記下側リングとを有するリテーナと、上側リングと下側リングとの間を伸びる１つ以上の継手とを更に備えている。
【図面の簡単な説明】
【００２１】
同一の参照番号は、全ての図面にて同一の要素を表わす。図面は、必ずしも正確な縮尺通りではないことを理解すべきである。
【図１】図１は、先行技術の弁の一部分を示す。
【図２】図２は、本発明の１つの実施の形態に従った弁の断面図を示す。
【図３】図３は、本発明の１つの実施の形態に従った弁の断面図を示す。
【図４】図４は、１つの実施の形態に従った弁シール部材を示す。
【図５】図５は、本発明に従った図３の弁シール部材の実施の形態を示す断面図である。
【図６】図６は、本発明の１つの実施の形態に従ったリテーナを示す。
【図７】図７は、本発明の１つの実施の形態に従った弁の断面図を示す。
【発明を実施するための形態】
【００２２】
図２−図７及び以下の説明は、当該技術の当業者に対し本発明の最良の形態を実施し且つ使用する方法を教示する特定の例を示すものである。本発明の原理を教示する目的のため、幾つかの従来からの形態は、簡略化し又は省略されている。当該技術の当業者は、本発明の範囲に属するこれらの実施例の変更例が理解されよう。当該技術の当業者は、以下に説明した特徴は、色々な仕方にて組み合わせ本発明の多数の変更例を形成することができることが理解されよう。その結果、本発明は、以下に記載する特定の実施例にのみ限定されるものではなく、特許請求の範囲及びそれらの等価物によってのみ限定されるものである。
【００２３】
図２には、本発明の１つの実施の形態に従った弁１００の断面図が示されている。該弁は、弁本体１０１と、弁座インサート１０３と、弁シール部材１２０とを含む。該弁シール部材１２０は、図示した、ポート開口２０２ａ−２０２ｃのような１つ以上のポート開口２０２を含む。弁座インサート１０３及び弁シール部材１２０は、共に、弁本体１０１に対して組み立てられる。弁シール部材１２０は、密封領域１０８にて弁本体１０１及び弁座インサート１０３の双方に対して密封する。１つ以上のポート開口２０２は、１つ以上のポート１０２を形成し得るように弁本体１０１及び弁座インサート１０３により形成された相応する通路と実質的に整合する。
【００２４】
ポート内に流れ又はポートから流れる流体は、１つの密封領域のみに遭遇する。先行技術におけるように、弁座インサート１０３を弁本体１０１内に密封するリングシールは不要である。
【００２５】
弁座シール部材１２０と弁本体１０１又は弁座インサート１０３との間の境界における密封領域１０８は、弁シール部材１２０をその他の２つの構成要素に対して圧縮することにより実現することができる。この圧縮は、少なくとも部分的に圧縮可能な弁シール部材１２０を強制的に変形させ且つ、弁本体１０１及び弁座インサート１０３の相応する部分に対して密封するようにする。
【００２６】
密封領域１０８が弁本体１０１と弁座インサート１０３との間の境界を備える場合、密封領域１０８は、接合剤又は接着剤、溶接部等の任意の態様を含むことができる。弁本体１０１及び弁座インサート１０３が例えば、プラスチック材料から成る場合、密封領域１０８は、超音波又はレーザ溶接部を含むことができる。
【００２７】
弁ポペット１１６は、アクチュエータ部材１１５に固定される。アクチュエータ部材１１５は、本体１０１内にて動いて、弁ポペット１１６を少なくとも１つの弁座１０５と接触させ且つ該少なくとも１つの弁座１０５から離れるように動かす。弁は、多数の弁座１０５を含むことができる。図面の実施の形態において、弁１００は、上側弁座１０５ａと、下側弁座１０５ｂとを含む。弁ポペット１１６は、少なくとも１つの弁座１０５と密封状態に接触する。この接触は、ポート１０２ａ、１０２ｃを選択し又はその選択を解除することができる。
【００２８】
図３には、本発明の１つの実施の形態に従った弁１００の断面図が示されている。該弁は、本発明の別の実施の形態に従って、弁本体１０１と、弁座インサート１０３と、弁シール部材１２０とを含む。弁シール部材１２０は、この実施の形態において、導管２０７と、シール部分２１１とを更に備えている（図４−図５及びこれに伴う説明も参照）。弁座インサート１０３及び弁シール部材１２０は、同様に、弁本体１０１に対して組み立てられる。しかし、この実施の形態において、弁シール部材１２０のシール部分２１１は、上側シール通路１０６ａにて弁本体１０１に対して更に密封し、また、弁シール部材１２０は、下側シール通路１０６ｂにて弁座インサート１０３に対して密封する。ポート無いに流れ又はポートから流れる流体は、密封領域１０８と、シール部分２１１と弁本体１０１（上側）又は弁座インサート１０３（下側）との何れかの間にて形成されたシールという２つの密封領域のみに遭遇する。先行技術におけるように、弁座インサート１０３を弁本体１０１の内部に対して密封するリングシールは不要である。
【００２９】
図面から、アクチュエータ部材１１５及び関係したばね等は弁ポペット１１６から密封されることが理解できる。その結果、弁１００は、効率的に且つ完全に排液し、清浄化し、衛生処理等することができる。このため、弁１００は、媒体独立弁である。その結果、弁１００は、色々な医療、分析、化学及び食品の製造目的のため使用することができる。
【００３０】
図４には、本発明の１つの実施の形態に従った弁シール部材１２０が示されている。弁シール部材１２０は、ポート１０２ａ、１０２ｂ、１０２ｃに相応するポート開口２０２ａ、２０２ｂ、２０２ｃを含むポート境界部分２０１を有する。
【００３１】
弁シール部材１２０は、シール部分２１１（図５に関して以下に説明）を更に含む。弁シール部材１２０は、シール部分２１１とポート境界部分２０１のポート２０２ｂと間にて連通する導管２０７を更に含む。
【００３２】
図５は、本発明に従った図４の実施の形態のシール部材１２０の断面図である。この図には、シール部分２１１の詳細が示されている。シール部分２１１は、上述したように、導管２０７によりポート２０２ｂと接続されている。シール部分２１１は、上側シール部分２１３ａと、下側シール部分２１３ｂとを含む。上側シール部分２１３ａ及び下側シール部分２１３ｂは、１つの実施の形態において、それぞれ上側弁座１０５ａ及び下側弁座１０５ｂを取り囲む（図３参照）。
【００３３】
シール部分２１１は、アクチュエータ部材の受容部２２６を有する弁ポペット１１６を更に含む。アクチュエータ部材１１５の一部分は、アクチュエータ部材の受容部２２６内に嵌まり、アクチュエータ部材１１５の上方及び下方への動きは弁ポペット１１６を上方に且つ下方に動かす。
【００３４】
シール部分２１１は、変形可能な部分２２４ａ、２２４ｂと、リップ部２２２ａ、２２２ｂとを含む。変形可能な部分２２４ａ、２２４ｂは、弁ポペット１１６のような、弁機構の動きに従って変形する。圧縮されたとき、変形可能な部分２２４は、外方に膨大して弁ポペット１１６の動きに対応することができる。シール部分２１１の上端及び下端を相応する弁本体１０１及び弁座インサート１０３（図３参照）に対して保持すべくリップ部２２２ａ、２２２ｂを採用することができる。
【００３５】
シール部材１２０は、可撓性又は少なくとも部分的に可撓性の材料にて形成することができる。シール部材１２０は、弾性又は少なくとも部分的に弾性の材料にて形成することができる。このため、変形可能な部分２２４が圧縮されたとき、該変形可能な部分は圧縮力に抗して少なくとも僅かな力を作用させ、このため、弁ポペット１１６が反対方向に向けて動くのを助けることができる。
【００３６】
図６には、本発明の１つの実施の形態に従ったリテーナ１３０が示されている。該リテーナ１３０は、上側リング１３３ａと、下側リング１３３ｂとを含む。上側リング１３３ａ及び下側リング１３３ｂは、段部１３４ａ（図示）と、段部１３４ｂ（図示せず）とを含む。シール部材１２０のリップ部２２２は、段部１３４ａ、１３４ｂ内に嵌まる（図３参照）。
【００３７】
リテーナ１３０は、上側リング１３３ａと下側リング１３３ｂとの間を伸びる１つ以上の継手１３７を更に含む。該１つ以上の継手１３７は、上側リング１３３ａ及び下側リング１３３ｂを離間分離させる。該１つ以上の継手１３７は、上側リップ部２２２ａ及び下側リップ部２２２ｂが上側シール通路１０６ａ及び下側シール通路１０６ｂ内に実質的に押し込まれることを保証する。その結果、上側リップ部２２２ａ及び下側リップ部２２２ｂは、少なくとも多少、圧縮されてシールを形成する。１つ以上の継手１３７は、シール部材１２０に対して支持力及び剛性を更に提供する。
【００３８】
使用時、上側リング１３３ａは、上側弁の内面の上側シール通路１０６ａ内に嵌まる一方、下側リング１３３ｂは、下側弁の内面の相応する下側シール通路１０６ｂ内に嵌まる。１つの実施の形態において、上側リング１３３ａは弁本体１０１の上側シール通路１０６ａ内に嵌まる一方、下側リング１３３ｂは、弁座インサート１０３の相応する下側シール通路１０６ｂ内に嵌まる。このため、その結果、リテーナ１３０は、弁シール部材１２０のシール部分２１１の上端及び下端をそれぞれの通路１０６ａ、１０６ｂ内に保持する。リテーナ１３０は、例えば、圧縮嵌め又は摩擦嵌めを介してそれぞれの通路内に嵌まることができる。
【００３９】
図７には、本発明の１つの実施の形態に従った弁１００の断面図が示されている。この実施の形態において、図には、弁シール部材１２０から伸びる１つ以上の舌状突起１４０が示されている。該１つ以上の舌状突起１４０は、弁座インサート１０３の１つ以上の相応する凹所１４１に嵌まることができる。該１つ以上の舌状突起１４０及び凹所１４１は、シールの表面積を増大させることにより弁シール部材１２０と弁座インサート１０３との間の改良されたシールを形成することができる。更に、１つ以上の舌状突起１４０及び凹所１４１は、弁シール部材１２０を弁座インサート１０３に対して整合させ且つ保持するのを助けることができる。舌状突起１４０及び凹所１４１は、本発明の任意のその他の実施の形態の弁シール部材１２０に使用することもできることを理解すべきである。
【００４０】
本発明に従った弁シール部材は、所望であれば、幾つかの有利な効果を提供するよう任意の実施の形態に従って採用することができる。本発明は、弁本体に対して密封する弁シール部材を提供する。本発明は、弁座インサートに対して密封する弁シール部材を提供する。本発明は、弁の１つ以上の構成要素を密封する弁シール部材を提供する。本発明は、一体形の弁ポペットを含む弁シール部材を提供する。
【図１】
2010504479.tif 000003
【図２】
2010504479.tif 000004
【図３】
2010504479.tif 000005
【図４】
2010504479.tif 000006
【図５】
2010504479.tif 000007
【図６】
2010504479.tif 000008
【図７】
2010504479.tif 000009
【国際調査報告】
2010504479.tif 000010
2010504479.tif 000011
2010504479.tif 000012